(57)【要約】【課題】  一般名称が同じ複数の薬品のうちから１つを決定するための情報を提供すること。【解決手段】  調剤支援装置は、薬品の薬品名と、薬品が有する特性を示す特性値とを関連付けた薬品データベースと、薬品データベースから一般名称が同じ薬品を抽出する抽出部５５と、抽出部５５により抽出された複数の薬品それぞれの特性値を、複数の薬品間で比較可能な状態で表示するための画面を生成する表示制御部６３と、を備える。【選択図】        図４
2018005788.tif 000002
【特許請求の範囲】
【請求項１】
薬品の薬品名と、前記薬品が有する特性を示す特性値とを関連付けた薬品データベースと、
前記薬品データベースから一般名称が同じ薬品を抽出する抽出手段と、
前記抽出手段により抽出された複数の薬品それぞれの特性値を、前記複数の薬品間で比較可能な状態で表示するための画面を生成する画面生成手段と、を備えた調剤支援装置。
【請求項２】
前記画面生成手段は、前記抽出手段により抽出された複数の薬品のうち１以上の後発品を先発品と比較可能な状態で表示するための画面を生成する、請求項１に記載の調剤支援装置。
【請求項３】
前記抽出手段により抽出された複数の薬品のうち１以上の後発品の特性値それぞれを、予め定められた比較基準に従って比較する比較手段を、さらに備え、
前記画面生成手段は、前記１以上の後発品のうち前記比較手段により比較基準を満たす後発品の特性値を、他の薬品の特性値の表示態様とは異なる表示態様で表示する画面を生成する、請求項１に記載の調剤支援装置。
【請求項４】
前記比較手段は、前記１以上の後発品それぞれの特性値を他の後発品の特性値と比較する、請求項３に記載の調剤支援装置。
【請求項５】
前記比較手段は、前記１以上の後発品それぞれの特性値を先発品の特性値と比較する、請求項３または４に記載の調剤支援装置。
【請求項６】
前記抽出手段により抽出された複数の薬品の特性値を調剤の容易さを評価するための評価基準で評価する評価手段を、さらに備え、
前記画面生成手段は、前記評価手段により評価基準に適合すると評価された薬品の特性値を、他の薬品の特性値の表示態様とは異なる表示態様で表示する画面を生成する、請求項１〜５のいずれかに記載の調剤支援装置。
【請求項７】
前記薬品データベースは、後発品の薬品の薬品名と、前記後発品が先発品との生物学的同等性を示す特性値とを関連付けており、
一般名称が同じ複数の薬品のうち１以上の後発品それぞれについて、前記生物学的同等性を示す特性値を用いて、先発品との生物学的同等性のレベルを評価する同等性評価手段を、さらに備え、
前記画面生成手段は、前記抽出手段により抽出された複数の薬品のうち１以上の後発品について、前記同等性評価手段による評価結果を表示する画面を生成する、請求項１〜４のいずれかに記載の調剤支援装置。
【請求項８】
前記薬品データベースは、薬品の薬品名と、前記薬品が有する複数種類の特性をそれぞれ示す複数の特定値を、前記薬品の薬品名と関連付けており、
一般名称が同じ複数の薬品のうち１以上の後発品それぞれについて、前記複数種類の特性ごとに、当該後発品が有する複数種類の特性値それぞれを、予め定められた比較基準で比較する比較手段と、
前記１以上の後発品のうち前記比較手段により前記比較基準を満たすと判断された種類の特性に対してポイントを付与するポイント付与手段と、を備え、
前記画面生成手段は、前記１以上の後発品それぞれに付されたポイントを表示するための画面を生成する、請求項１に記載の調剤支援装置。
【請求項９】
前記薬品データベースは、後発品の薬品の薬品名と、前記後発品が先発品との生物学的同等性を示す特性値とを関連付けており、
一般名称が同じ複数の薬品のうち１以上の後発品それぞれについて、前記生物学的同等性を示す特性値を用いて、先発品との生物学的同等性のレベルを評価する同等性評価手段と、をさらに備え、
前記ポイント付与手段は、前記同等性評価手段によりに先発品との生物学的同等性のレベルが所定のレベル以上の後発品にポイントを付与する、請求項８に記載の調剤支援装置。
【請求項１０】
一般名称が同じ複数の薬品それぞれについて、前記複数種類の特性のうち調剤のし易さを示す種類の特性の特性値を、予め定められた評価基準で評価する評価手段を、さらに備え、
前記ポイント付与手段は、前記評価手段により評価基準に適合すると評価された薬品にポイントを付与する、請求項８または９に記載の調剤支援装置。
【請求項１１】
薬品の薬品名と、前記薬品が有する特性を示す特性値とを関連付けた薬品データベースから一般名称が同じ薬品を抽出する抽出ステップと、
前記抽出ステップにおいて抽出された複数の薬品それぞれの特性値を、前記複数の薬品間で比較可能な状態で表示するための画面を生成する画面生成ステップと、を含む調剤支援方法。
【請求項１２】
薬品の薬品名と、前記薬品が有する特性を示す特性値とを関連付けた薬品データベースから一般名称が同じ薬品を抽出する抽出ステップと、
前記抽出ステップにおいて抽出された複数の薬品それぞれの特性値を、前記複数の薬品間で比較可能な状態で表示するための画面を生成する画面生成ステップと、をコンピューターに実行させる調剤支援プログラム。
【発明の詳細な説明】
【技術分野】
【０００１】
この発明は、調剤支援装置、調剤支援方法および調剤支援プログラムに関し、特に、薬効が同じ複数の薬品のうちから１つを決定する作業を支援する調剤支援装置、調剤支援方法および調剤支援プログラムに関する。
【背景技術】
【０００２】
近年、先発医薬品（以下「先発品」という）に対して、先発品と同一の有効成分を有するジェネリック医薬品（以下「後発品」という）が存在する。例えば、特開２００４−１１８３５１号公報には、一般名を有する複数の医薬品を、先発品および後発品の区別を明確にして表示する医薬品検索情報提供システムが記載されている。
【０００３】
しかしながら、薬局において処方箋に基づいて調剤する場合、先発品および後発品のいずれを選択するかは、患者が決定することになる。このため患者と接する薬剤師は、先発品および後発品を選択するために必要な情報を患者に提供することが求められる。例えば、特開２００４−１２６８９４号公報には、先発品および後発品の価格を表示する薬剤決定支援システムが記載されている。
【０００４】
しかしながら、特開２００４−１２６８９４号公報に記載の薬剤決定支援システムでは、複数の薬品の価格を比較できるのみで、薬剤師の専門的な知識に基づいて、患者に対して医薬品を選択するための適切なアドバイスができないといった問題がある。
【特許文献１】特開２００４−１１８３５１号公報
【特許文献２】特開２００４−１２６８９４号公報
【発明の概要】
【発明が解決しようとする課題】
【０００５】
この発明は上述した問題点を解決するためになされたもので、この発明の目的の１つは、一般名称が同じ複数の薬品のうちから１つを決定するための情報を提供することが可能な調剤支援装置を提供することである。
【０００６】
この発明の他の目的は、一般名称が同じ複数の薬品のうちから１つを決定するための情報を提供することが可能な調剤支援方法を提供することである。
【０００７】
この発明のさらに他の目的は、一般名称が同じ複数の薬品のうちから１つを決定するための情報を提供することが可能な調剤支援プログラムを提供することである。
【課題を解決するための手段】
【０００８】
上述した目的を達成するためにこの発明のある局面によれば、調剤支援装置は、薬品の薬品名と、薬品が有する特性を示す特性値とを関連付けた薬品データベースと、薬品データベースから一般名称が同じ薬品を抽出する抽出手段と、抽出手段により抽出された複数の薬品それぞれの特性値を、複数の薬品間で比較可能な状態で表示するための画面を生成する画面生成手段と、を備える。
【０００９】
この局面に従えば、一般名称が同じ複数の薬品それぞれの特性値を、複数の薬品間で比較可能な状態で表示する画面を生成するので、一般名称が同じ複数の薬品の違いを通知することができる。その結果、一般名称が同じ複数の薬品のうちから１つを決定するための情報を提供することが可能な調剤支援装置を提供することができる。
【００１０】
好ましくは、画面生成手段は、抽出手段により抽出された複数の薬品のうち１以上の後発品を先発品と比較可能な状態で表示するための画面を生成する。
【００１１】
この局面に従えば、後発品について先発品との違いを通知することができる。
【００１２】
好ましくは、抽出手段により抽出された複数の薬品のうち１以上の後発品の特性値それぞれを、予め定められた比較基準に従って比較する比較手段を、さらに備え、画面生成手段は、１以上の後発品のうち比較手段により比較基準を満たす後発品の特性値を、他の薬品の特性値の表示態様とは異なる表示態様で表示する画面を生成する。
【００１３】
この局面に従えば、１以上の後発品のうち比較基準を満たす後発品の特性値を、他の薬品の特性値の表示態様とは異なる表示態様で表示するので、他の薬品と異なる後発品を通知することができる。
【００１４】
好ましくは、比較手段は、１以上の後発品それぞれの特性値を他の後発品の特性値と比較する。
【００１５】
この局面に従えば、１以上の後発品それぞれの特性値を他の後発品の特性値と比較するので、他の後発品より優れた後発品を通知することができる。
【００１６】
好ましくは、比較手段は、１以上の後発品それぞれの特性値を先発品の特性値と比較する。
【００１７】
この局面に従えば、１以上の後発品それぞれの特性値を先発品の特性値と比較するので、先発品より優れた後発品を通知することができる。
【００１８】
好ましくは、抽出手段により抽出された複数の薬品の特性値を調剤の容易さを評価するための評価基準で評価する評価手段を、さらに備え、画面生成手段は、評価手段により評価基準に適合すると評価された薬品の特性値を、他の薬品の特性値の表示態様とは異なる表示態様で表示する画面を生成する。
【００１９】
この局面に従えば、複数種類の特性のうち調剤の容易さを評価するための評価基準に適合すると評価された薬品の特性値を、他の薬品の特性値の表示態様とは異なる表示態様で表示するので、調剤のし易い薬品を通知することができる。
【００２０】
好ましくは、薬品データベースは、後発品の薬品の薬品名と、後発品が先発品との生物学的同等性を示す特性値とを関連付けており、一般名称が同じ複数の薬品のうち１以上の後発品それぞれについて、生物学的同等性を示す特性値を用いて、先発品との生物学的同等性のレベルを評価する同等性評価手段を、さらに備え、画面生成手段は、抽出手段により抽出された複数の薬品のうち１以上の後発品について、同等性評価手段による評価結果を表示する画面を生成する。
【００２１】
この局面に従えば、１以上の後発品それぞれについて、先発品との生物学的同等性のレベルを評価した評価結果を表示するので、１以上の後発品ごとに先発品との同等性を通知することができる。
【００２２】
この局面に従えば、薬品データベースは、薬品の薬品名と、薬品が有する複数種類の特性をそれぞれ示す複数の特定値を、薬品の薬品名と関連付けており、一般名称が同じ複数の薬品のうち１以上の後発品それぞれについて、複数種類の特性ごとに、当該後発品が有する複数種類の特性値それぞれを、予め定められた比較基準で比較する比較手段と、１以上の後発品のうち比較手段により比較基準を満たすと判断された種類の特性に対してポイントを付与するポイント付与手段と、を備え、画面生成手段は、１以上の後発品それぞれに付されたポイントを表示するための画面を生成する。
【００２３】
この局面に従えば、１以上の後発品のうち比較基準を満たす特性値の数のポイントを表示するので、１以上の後発品の比較を可能とすることができる。
【００２４】
好ましくは、薬品データベースは、後発品の薬品の薬品名と、後発品が先発品との生物学的同等性を示す特性値とを関連付けており、一般名称が同じ複数の薬品のうち１以上の後発品それぞれについて、生物学的同等性を示す特性値を用いて、先発品との生物学的同等性のレベルを評価する同等性評価手段と、をさらに備え、ポイント付与手段は、同等性評価手段によりに先発品との生物学的同等性のレベルが所定のレベル以上の後発品にポイントを付与する。
【００２５】
この局面に従えば、１以上の後発品の先発品との同等性について比較を可能とすることができる。
【００２６】
好ましくは、一般名称が同じ複数の薬品それぞれについて、複数種類の特性のうち調剤のし易さを示す種類の特性の特性値を、予め定められた評価基準で評価する評価手段を、さらに備え、ポイント付与手段は、評価手段により評価基準に適合すると評価された薬品にポイントを付与する。
【００２７】
この局面に従えば、複数種類の特性のうち調剤のし易さの比較を可能とすることができる。
【００２８】
この発明の他の局面によれば、調剤支援方法は、薬品の薬品名と、薬品が有する特性を示す特性値とを関連付けた薬品データベースから一般名称が同じ薬品を抽出する抽出ステップと、抽出ステップにおいて抽出された複数の薬品それぞれの特性値を、複数の薬品間で比較可能な状態で表示するための画面を生成する画面生成ステップと、を含む。
【００２９】
この局面に従えば、一般名称が同じ複数の薬品のうちから１つを決定するための情報を提供することが可能な調剤支援方法を提供することができる。
【００３０】
この発明のさらに他の局面によれば、調剤支援プログラムは、薬品の薬品名と、薬品が有する特性を示す特性値とを関連付けた薬品データベースから一般名称が同じ薬品を抽出する抽出ステップと、抽出ステップにおいて抽出された複数の薬品それぞれの特性値を、複数の薬品間で比較可能な状態で表示するための画面を生成する画面生成ステップと、をコンピューターに実行させる。
【００３１】
この局面に従えば、一般名称が同じ複数の薬品のうちから１つを決定するための情報を提供することが可能な調剤支援プログラムを提供することができる。
【図面の簡単な説明】
【００３２】
【図１】本実施の形態における調剤支援システムの全体概要の一例を示す図である。
【図２】調剤支援装置のハードウェア構成の一例を示す図である。
【図３】薬品データベースに含まれる薬品レコードのフォーマットの一例を示す図である。
【図４】調剤支援装置が備えるＣＰＵが有する機能の一例を示すブロック図である。
【図５】同等性評価方法の一例を説明するための図である。
【図６】一覧表示画面の一例を示す第１の図である。
【図７】一覧表示画面の一例を示す第２の図である。
【図８】調剤支援処理の流れの一例を示すフローチャートである。
【図９】比較処理の流れの一例を示すフローチャートである。
【図１０】評価処理の流れの一例を示すフローチャートである。
【図１１】一覧表示画面生成処理の流れの一例を示すフローチャートである。
【発明を実施するための形態】
【００３３】
以下、本発明の実施の形態について図面を参照して説明する。以下の説明では同一の部品には同一の符号を付してある。それらの名称および機能も同じである。したがってそれらについての詳細な説明は繰り返さない。
【００３４】
図１は、本実施の形態における調剤支援システムの全体概要の一例を示す図である。図１を参照して、調剤支援システム１は、調剤支援装置１００と、パーソナルコンピューター（以下「ＰＣ」という）２００，２００Ａ，２００Ｂと、を含む。
【００３５】
ＰＣ２００，２００Ａ，２００Ｂそれぞれは、調剤薬局等に設置され、薬剤師が調剤する際に用いられる。ＰＣ２００，２００Ａ，２００Ｂは、一般的なコンピューターであり、それぞれのハードウェア構成および機能は同じなので、ここでは特に言及しない限りＰＣ２００を例に説明する。調剤支援装置１００は、一般的なコンピューターであり、サーバー装置等を用いることができる。調剤支援装置１００は、ＰＣ２００，２００Ａ，２００Ｂを操作する薬剤師等のユーザーに対して、調剤支援サービスを提供する。
【００３６】
調剤支援装置１００およびＰＣ２００，２００Ａ，２００Ｂそれぞれは、インターネット５に接続されている。調剤支援装置１００は、サーバーとして機能し、ＰＣ２００，２００Ａ，２００Ｂは、クライアントとして機能する。本実施の形態において、調剤支援装置１００を、ウェブ（Ｗｅｂ）サーバーとして機能させ、ＰＣ２００，２００Ａ，２００Ｂにブラウジングプログラムをインストールする例を説明する。ＰＣ２００，２００Ａ，２００Ｂは、ブラウジングプログラムを実行することにより、調剤支援装置１００のクライアントとして機能する。ＰＣ２００，２００Ａ，２００Ｂに、一般的に普及しているブラウジングプログラムをインストールすればよいので、調剤支援システムを容易に構築することができる。
【００３７】
本実施の形態においては、ＰＣ２００，２００Ａ，２００Ｂのクライアントとしての動作は同じなので、以下の説明では、ユーザーがＰＣ２００を操作して、調剤支援装置１００が提供する調剤支援サービスの提供を受ける場合を例に説明する。この場合、例えば、調剤支援装置１００の管理者は、外部からのアクセスを受け付けるために、調剤支援サービスを提供するために予め定められたホームページのＵＲＬを公開する。ＰＣ２００を操作するユーザーが、ＰＣ２００にブラウジングプログラムを実行させ、ホームページのＵＲＬを入力すれば、ＰＣ２００は調剤支援装置１００にホームページの送信を要求するコマンドを調剤支援装置１００に送信する。調剤支援装置１００は、ホームページの送信を要求するコマンドを受信することに応じて、ＨＤＤ１０４に予め記憶されたホームページを、コマンドを送信してきたＰＣ２００に返信する。ホームページを受信するＰＣ２００は、ホームページを表示するので、ユーザーは、調剤支援装置１００が提供する調剤支援サービスの提供を受けることができる。
【００３８】
なお、調剤支援装置１００は、予め定められたユーザーのみに調剤支援サービスを提供するようにしてもよい。この場合、調剤支援装置１００は、ＰＣ２００のユーザーのログイン認証に成功することを条件に、調剤支援サービスを提供するようにすればよい。例えば、調剤支援装置１００に、調剤支援サービスの提供を受けるユーザーのユーザーＩＤとパスワードとを予め登録して置き、ユーザーＩＤおよびパスワードを入力可能な領域を有するログイン画面をＰＣ２００に送信する。ログイン画面を受信するＰＣ２００のユーザーが、ユーザーＩＤおよびパスワードを入力すれば、ＰＣ２００が調剤支援装置１００にユーザーにより入力されたユーザーＩＤおよびパスワードを含むログイン要求を送信する。調剤支援装置１００は、ＰＣ２００からログイン要求を受信することに応じて、ログイン要求に含まれるユーザーＩＤおよびパスワードが登録されていることを条件に、調剤支援サービスを提供する。これによれば、調剤支援サービスを提供するユーザーを、予め定められたユーザーに制限することができる。また、予め定められたユーザーから調剤支援サービスの提供に対する対価を徴収することができる。
【００３９】
図２は、調剤支援装置のハードウェア構成の一例を示す図である。図２を参照して、調剤支援装置１００は、調剤支援装置１００の全体を制御するためのＣＰＵ（Ｃｅｎｔｒａｌ  Ｐｒｏｃｅｓｓｉｎｇ  Ｕｎｉｔ）１０１と、ＣＰＵ１０１が実行するためのプログラムを記憶するＲＯＭ（Ｒｅａｄ  Ｏｎｌｙ  Ｍｅｍｏｒｙ）１０２と、ＣＰＵ１０１の作業領域として使用されるＲＡＭ（Ｒａｎｄｏｍ  Ａｃｃｅｓｓ  Ｍｅｍｏｒｙ）１０３と、データを不揮発的に記憶するハードディスドライブ（ＨＤＤ）１０４と、ＣＰＵ１０１をインターネット５に接続する通信部１０５と、情報を表示する表示部１０６と、ユーザーの操作の入力を受け付ける操作部１０７と、外部記憶装置１０８と、を含む。
【００４０】
ＣＰＵ１０１は、ＲＯＭ１０２またはＨＤＤ１０４に記憶されたプログラムをＲＡＭ１０３にロードして実行する。外部記憶装置１０８は、プログラムを記憶したＣＤ−ＲＯＭ（Ｃｏｍｐａｃｔ  Ｄｉｓｋ  ＲＯＭ）１０９が装着可能である。ＣＰＵ１０１は、外部記憶装置１０８を介してＣＤ−ＲＯＭ１０９にアクセス可能である。ＣＰＵ１０１は、ＣＤ−ＲＯＭ１０９に記録されたプログラムをＲＡＭ１０３にロードして実行することが可能である。
【００４１】
なお、ＣＰＵ１０１が実行するプログラムとして、ＲＯＭ１０２、ＨＤＤ１０４またはＣＤ−ＲＯＭ１０９に記録されたプログラムについて説明したが、インターネット５に接続された他のコンピューターが、ＨＤＤ１０４に記憶されたプログラムを書換えたプログラム、または、追加して書き込んだ新たなプログラムであってもよい。さらに、調剤支援装置１００が、インターネット５に接続された他のコンピューターからダウンロードしたプログラムでもよい。ここでいうプログラムは、ＣＰＵ１０１が直接実行可能なプログラムだけでなく、ソースプログラム、圧縮処理されたプログラム、暗号化されたプログラム等を含む。
【００４２】
なお、ＣＰＵ１０１が実行するプログラムを記憶する媒体としては、ＣＤ−ＲＯＭ１０９に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリーであってもよい。
【００４３】
本実施の形態における調剤支援装置１００は、ＨＤＤ１０４に薬品データベースを記憶している。薬品データベースは、医薬品ごとに薬品レコードを含む。薬品レコードは、商品名と複数種類の特性値とを少なくとも関連付ける。
【００４４】
図３は、薬品データベースに含まれる薬品レコードのフォーマットの一例を示す図である。図３を参照して、薬品レコードは、基本情報の項目と、特性情報の項目と、添付文書ＵＲＬの項目と、を含む。基本情報の項目は、販売名の項目と、販売名コードの項目と、製造元の項目と、販売元の項目と、製剤写真の項目と、先後発の項目と、を含む。販売名の項目には、医薬品固有の商品名が設定される。販売名コードの項目には、薬価基準収載医薬品コードが設定される。薬価基準収載医薬品コードは、厚生労働省により付与された分類コードであり、医薬品の成分、剤形、銘柄等を示す。製造元の項目には、その薬品を製造するメーカーの会社名が設定される。なお、会社コードを設定するようにしてもよい。販売元の項目には、その医薬品の販売元の会社名が設定される。なお、会社コードを設定するようにしてもよい。製剤写真の項目には、医薬品を撮影した写真が設定される。先後発の項目は、先発品および後発品の別が設定される。
【００４５】
特性情報の項目は、規格の項目と、剤形の項目と、用法用量の項目と、価格の項目と、印字の項目と、大きさの項目と、風味の項目と、安息角の項目と、粘着力の項目と、保存温度の項目と、色の項目と、効能効果の項目と、添加物の項目と、割線の項目と、硬度の項目と、販売単位の項目と、生物学的同等性試験結果の項目と、溶出試験の項目と、安定性試験の項目と、を含む。
【００４６】
規格の項目には、医薬品固有の決まった用量が設定される。効能効果／用法用量と関係する値である。剤形の項目には、薬の形を示す。医薬品は、患者が使用しやすいように、目的や用途に応じて形が加工されている。口から飲む内服薬については、例えば、錠剤、カプセル剤、散剤、シロップ剤、水なしでも飲めるＯＤ錠（口腔内崩壊錠）などが設定される。皮膚や目、のど、肛門などに使う外用薬については、軟膏剤、湿布剤、外用液剤、点眼剤、吸入剤、坐剤などが設定される。皮膚、筋肉、血管などに針を通して直接注入する注射薬については、皮下注射、筋肉内注射、静脈内注射などが設定される。
【００４７】
用法用量の項目には、用法と用量が設定される。用法は、一定期間にわたり投与される医薬品の投与経路、頻度及び期間である。用量は、１投与または１日あたりに与えられる医薬品の量である。価格の項目には、医薬品の１単位当たりの価格が設定される。１単位は、例えば、１錠、１カプセル、１ｇ、１ｍＬである。
【００４８】
印字の項目には、印字の有無が設定される。印字の内容は、例えば、医薬品の商品名、英数字とメーカー記号の組み合わせなどである。大きさの項目には、医薬品の大きさが設定される。例えば、剤型が錠剤またはカプセルの場合、直径あるいは長径・短径・幅の値が設定される。剤型がカプセルの場合には号数が設定される場合がある。風味の項目には、香りや味わいが設定される。安息角の項目には、粉が滑り出さない限界の角度が設定される。粘着力の項目には、貼付剤の皮膚への貼り付き具合が設定される。例えば、剥がれやすい、または、剥がしにくいなどの値が設定される。保存温度の項目には、貯法温度が設定される。
【００４９】
色の項目には、医薬品に付される色が設定される。効能効果の項目には、適応疾患と医薬品のききめと結果が設定される。「効能」は、よい結果をもたらすためのはたらきであり、「効果」はあるはたらきによって現れる望ましい結果である。有効成分が同じ医薬品間で異なる場合がある。適応症は、その医薬品によって、治療効果が期待できる疾患あるいは症状である。治療効果が期待できる疾患あるいは症状は、その薬品が承認される際に、効能および効果として、医薬品の使用対象として承認される疾患(群)を示す。添加物の項目には、医薬品に含まれる有効成分以外の物質が設定される。添加物は、有効成分および医薬品の有用性を高めるため、製剤化を容易にするため、品質の安定化を図るため、使用性を向上させるため、副作用予防のためなどの目的で用いられる。
【００５０】
割線の項目には、割線の有無が設定される。割線は、医薬品の量を微調整する場合に医薬品が割れるように医薬品に形成される溝である。硬度の項目には、医薬品の硬度が設定される。販売単位の項目には、医薬品の販売単位が設定される。例えば、ＰＴＰ（Ｐｒｅｓｓ  Ｔｈｒｏｕｇｈ  Ｐａｃｋ）１００錠、ＰＴＰ１０００錠、バラ錠５００錠等の値が設定される。
【００５１】
生物学的同等性試験結果の項目には、厚生労働省が定めたガイドラインに従い、生物学的同等性試験として溶出試験や服用時の血中濃度推移の確認をした結果の値が設定される。具体的には、生物学的同等性試験結果の項目は、ＡＵＣ評価結果の項目、Ｃｍａｘ評価結果の項目とを含む。ＡＵＣ評価結果の項目は、先発品の血中濃度−時間曲線下面積（Ａｒｅａ  Ｕｎｄｅｒ  ｔｈｅ  ｂｌｏｏｄ  Ｃｏｎｃｅｎｔｒａｔｉｏｎ−ｔｉｍｅ  ｃｕｒｖｅ）の特性値と、後発品の血中濃度−時間曲線下面積の特性値と、が設定される。Ｃｍａｘ評価結果の項目は、先発品を投与後に得られる有効成分の最高血中濃度の特性値と、後発品を投与後に得られる有効成分の最高血中濃度の特性値とが設定される。また、生物学的同等性試験結果の項目には、Ｔｍａｘの特性値、消失半減期（Ｔ１／２）の特性値を示す項目を含んでもよい。Ｔｍａｘの特性値は、医薬品を投与してから最高血中濃度に達するまでの時間を示す。消失半減期の特性値は、有効成分の血中濃度が半減するまでの時間を示す。
【００５２】
溶出試験の項目には、決められた時間内に医薬品に含まれる有効成分が溶け出す量を測定する溶出試験の結果が設定される。安定性試験の項目には、温度、湿度、光等の様々な環境因子の影響の下における品質などの経時的変化の有無が設定される。変化がある場合はその度合いが設定される。
【００５３】
添付文書ＵＲＬの項目には、医薬品の添付文書が記憶されているメーカーが管理するサーバーのＵＲＬが設定される。
【００５４】
図４は、調剤支援装置が備えるＣＰＵが有する機能の一例を示すブロック図である。図４に示す機能は、調剤支援装置１００が備えるＣＰＵ１０１が、ＲＯＭ１０２、ＨＤＤ１０４または、ＣＤ−ＲＯＭ１０９に記憶された調剤支援プログラムを実行することにより、ＣＰＵ１０１に形成される。図４を参照して、調剤支援装置１００が備えるＣＰＵ１０１は、薬品データベースに登録するための薬品レコードを生成する薬品データ生成部５１と、一般名称受付部５３と、抽出部５５と、比較部５７と、評価部５９と、同等性評価部６１と、ポイント付与部６５と、表示制御部６３と、を含む。
【００５５】
薬品データ生成部５１は、薬品レコードを生成し、生成された薬品レコードを、ＨＤＤ１０４に記憶されている薬品データベースに追加する。例えば、薬品データ生成部５１は、操作部１０７または通信部１０５を介して接続されたコンピューターによって受け付けられるユーザーによる操作に従って、薬品レコードを生成する。また、薬品データ生成部５１は、他のコンピューターに記憶されている医薬品のデータを、そのコンピューターから受信し、受信されたデータを加工することによって、薬品レコードを生成する。他のコンピューターは、例えば、医薬品の製造元の会社または販売元の会社が管理するコンピューターである。
【００５６】
一般名称受付部５３は、処理対象となる医薬品の一般名称を受け付ける。一般名称は、医薬品に付される名称であり、同じ有効成分の複数の医薬品に対して単一の一般名称が付される。従って、商品名が異なる２以上の医薬品であっても有効成分が同じ場合には同じ一般名称が付される。一般名称受付部５３は、一般名称を入力する領域を有する指定画面をＰＣ２００に、通信部１０５を介して送信する。指定画面を受信するＰＣ２００は、指定画面を表示するので、ユーザーがＰＣ２００に指定画面に従って、一般名称を入力すれば、ＰＣ２００が調剤支援装置１００に一般名称を送信する。一般名称受付部５３は、通信部１０５がＰＣ２００から受信する一般名称を受け付ける。一般名称受付部５３は、受け付けられた一般名称を、抽出部５５に出力する。
【００５７】
抽出部５５は、一般名称受付部５３から一般名称が受け付けられることに応じて、一般名称が付された１以上の医薬品を抽出する。具体的には、ＨＤＤ１０４に記憶された薬品データベースに登録された複数の医薬品それぞれの商品名と一般名称とを関連付けた一般名称テーブルを、ＨＤＤ１０４に予め記憶しておく。抽出部５５は、一般名称受付部５３から入力される一般名称を用いて、一般名称テーブルを検索することにより、一般名称受付部５３から入力される一般名称が関連付けられた商品名の全てを抽出する。１つの一般名称に複数の商品名が関連付けられている場合がある。先発品に対して、後発品が存在する場合である。１つの一般名称に複数の商品名が関連付けられている場合、抽出部５５は、１つの一般名称に関連付けられた複数の商品名を抽出する。抽出部５５は、抽出された複数の商品名を比較部５７、評価部５９、同等性評価部６１および表示制御部６３に出力する。
【００５８】
比較部５７は、抽出部５５から複数の商品名が入力されることに応じて、複数の商品名でそれぞれ特定される複数の医薬品を先発品と後発品とのいずれかに特定し、１以上の後発品それぞれの特性値を、他の後発品の特性値と比較する。ここでは、複数の商品名でそれぞれ特定される複数の医薬品が、１つの先発品と、１以上の後発品である場合を例に説明する。具体的には、比較部５７は、抽出部５５から入力される複数の商品名それぞれについて、ＨＤＤ１０４に記憶された薬品データベースを検索し、その商品名が販売名の項目に設定された薬品レコードを抽出する。比較部５７は、薬品レコードの先後発の項目に先発品が設定された医薬品を先発品に特定し、薬品レコードの先後発の項目に後発品が設定された医薬品を後発品に特定する。比較部５７が比較対象とする特性値は、患者の服用し易さ、取り扱い易さ、または、見易さを基準に定まる。
【００５９】
比較部５７は、後発品に特定された医薬品の薬品レコードの特性情報の項目に設定された複数種類の項目のうち特性値を後発品と比較するために予め定められた後発品比較用の種類の項目について、当該種類の項目に設定された特性値を、他の後発品の薬品レコードの対応する種類の項目に設定された特性値と比較する。比較の方法は、特性値の種類によって、予め比較基準が定められており、その比較基準に従って比較する。比較基準は、例えば、１以上の後発品の特性値の平均を比較基準値に設定し、１以上の後発品それぞれの特性値が比較基準値以上であることにすることができる。なお、比較基準は、特性値が最大であることにするようにしてもよいし、上位からの順位が所定数以内のもの、または上位から順位が所定の割合以内のものとするようにしてもよい。
【００６０】
ここでは、特性情報の項目に含まれる複数種類の項目のうち規格の項目、剤形の項目、用法用量の項目、価格の項目、印字の項目、大きさの項目、風味の項目、安息角の項目、粘着力の項目、および保存温度の項目それぞれに設定される特性値が、比較部５７が他の後発品と比較するための比較対象とする特性値に設定されている場合を例に説明する。比較部５７は、後発品の商品名と、比較対象とした特性値の項目の種類と、比較結果との組をポイント付与部６５および表示制御部６３に出力する。
【００６１】
規格の項目に設定される特性値は、医薬品固有の決まった用量である。医薬品によって用量が異なる場合がある。規格の項目に設定される特性値に対する比較基準は、用量が少ないほど良好と評価することができる。比較部５７は、比較対象とする後発品の用量が、すべての後発品の用量の平均以下の場合に、後発品が他の後発品より優れていると判断する。
【００６２】
剤形の項目に設定される特性値は、薬の形である。医薬品によって剤形が異なる場合がある。規格の項目に設定される特性値に対する比較基準は、医薬品が飲みやすいほど良好と評価することができる。例えば、内服薬については、嚥下困難な小児や高齢者にとっては、錠剤よりシロップや散剤の方が飲みやすい。また、成人ではカプセル剤より錠剤やＯＤ錠の方が飲みやすい。剤形ごとに予め優先順位付与しておき、比較部５７は、比較対象とする後発品の優先順位がすべての後発品中で半分以上であれば比較対象とする後発品が他の後発品より優れていると判断する。
【００６３】
用法用量の項目に設定される特性値は、用法と用量である。用法は頻度を示す。用法用量の項目に設定される特性値に対する比較基準は、頻度が少ないほど良好と評価することができる。比較部５７は、比較対象とする後発品の頻度が、すべての後発品の頻度の平均以下の場合に、比較対象とする後発品が他の後発品より優れていると判断する。
【００６４】
価格の項目に設定される特性値は、医薬品の価格である。後発品の価格は、先発品の価格よりの安い場合がある。価格の項目に設定される特性値に対する比較基準は、価格が安いほど良好とすることができる。比較部５７は、比較対象とする後発品の価格がすべての後発品の価格の平均以上であれば比較対象とする後発品が他の後発品より優れていると判断する。
【００６５】
印字の項目に設定される特性値は、印字の有無である。印字されている場合には、医薬品を視覚で識別することができる。誤飲を防止する観点から、薬の名前が印字がされている後発品が良好とすることができる。比較部５７は、比較対象とする後発品に印字が有れば比較対象とする後発品が他の後発品より優れていると判断する。
【００６６】
大きさの項目に設定される特性値は、医薬品のサイズである。内服薬の場合、サイズが小さいほど飲みやすくなる。このため、大きさの項目に設定される特性値に対する比較基準は、サイズが小さいほど良好とすることができる。比較部５７は、比較対象とする後発品のサイズがすべての後発品のサイズの平均以下であれば比較対象とする後発品が他の後発品より優れていると判断する。
【００６７】
風味の項目に設定される特性値は、香りや味わいである。内服薬については、香りや味わいが良いほど飲みやすい。このため、風味の項目に設定される特性値に対する比較基準は、香りまたは味わいを有する場合に良好とすることができる。比較部５７は、比較対象とする後発品が香りまたは味わいを有すれば比較対象とする後発品が他の後発品より優れていると判断する。
【００６８】
安息角の項目に設定される特性値は、粉が滑り出さない限界の角度である。散剤については、安息角度が小さいほど飲みやすい。このため、安息角の項目に設定される特性値に対する比較基準は、処理対象とする後発品の安息角が小さい場合に良好とすることができる。比較部５７は、処理対象とする後発品の安息角がすべての後発品の安息角の平均以下であれば比較対象とする後発品が他の後発品より優れていると判断する。
【００６９】
粘着力の項目に設定される特定値は、剥がれにくさを示す値である。粘着力の項目に設定される特性値に対する比較基準は、剥がれにくい場合に良好とすることができる。比較部５７は、処理対象とする後発品の粘着力がすべての後発品の粘着力の平均以上であれば比較対象とする後発品が他の後発品より優れていると判断する。なお、患部によっては、剥がしさすさが求められる場合がある。このため、比較基準を、剥がれやすい場合に良好とするようにしてもよい。粘着力の項目の比較基準は、一般名称ごとに定めるようにすればよい。
【００７０】
保存温度の項目に設定される特性値は、医薬品の貯法温度である。貯法温度が常温であれば、保存が容易である。このため、保存温度の項目に設定される特性値に対する比較基準は、貯法温度が常温の場合に良好とすることができる。比較部５７は、比較対象とする後発品の貯法温度が常温であれば比較対象とする後発品が他の後発品より優れていると判断する。
【００７１】
また、比較部５７は、後発品に特定された医薬品の薬品レコードの特性情報の項目に設定された複数種類の項目のうち先発品と比較するために予め定められた先発品比較用の種類の項目について、当該種類の項目に設定された特性値を、先発品の薬品レコードの対応する種類の項目に設定された特性値と比較する。比較の方法は、特性値の種類によって、予め比較基準が定められており、その比較基準に従って比較する。比較基準は、例えば、先発品に存在しない特性値を有する場合に、処理対象とする後発品が先発品より優れていると判断する。また、比較基準は、先発品と同じ特性値を有する場合に、処理対象とする後発品が先発品より優れていると判断する。ここでは、特性情報の項目に含まれる複数種類の項目のうち色の項目、効能効果の項目、添加物の項目それぞれに設定される特性値が、比較部５７が先発品と比較するための比較対象とする特性値に設定されている場合を例に説明する。比較部５７は、後発品の商品名と、比較対象とした特性値の項目の種類と、比較結果との組をポイント付与部６５および表示制御部６３に出力する。
【００７２】
色の項目に設定される特性値は、医薬品の色である。患者は、医薬品を色で識別することができる。先発品を服用していた患者が後発品を服用する場合に、先発品の色と同じ色であれば、誤飲を防止することができる。このため、色の項目に設定される特性値に対する比較基準は、先発品と同じ色の後発品を良好とすることができる。比較部５７は、比較対象とする後発品が先発品の色と同じまたは類似する色の場合に処理対象とする後発品が他の後発品より優れていると判断する。
【００７３】
効能効果の項目に設定される特性値は、適応疾患と医薬品のききめである。後発品には、先発品にある効能効果を有しない場合がある。効能効果の項目に設定される特性値に対する比較基準は、比較対象とする後発品が先発品にある効能効果を有する場合に処理対象とする後発品が他の後発品より優れていると判断する。先発品にある効能効果を有する後発品をオーソライズドジェネリックという。
【００７４】
添加物の項目に設定される特性値は、有効成分以外の物質である。後発品は、先発品の添加物に成分特許が存在する等の場合に、先発品とは異なる添加物を含む場合がある。添加物は薬理作用がなく無害の物質が使われるが、添加物の項目に設定される特性値に対する比較基準は、先発品にない添加物がアレルギー症状を予防する場合に良好とすることができる。比較部５７は、比較対象とする後発品が先発品にないアレルギー症状を予防する添加物を含む場合に処理対象とする後発品が他の後発品より優れていると判断する。また、後発品は副作用予防の観点から、先発品とは異なる添加物を含む場合がある。添加物の項目に設定される特性値に対する比較基準は、先発品にない添加物が副作用を予防する場合に良好とすることができる。比較部５７は、比較対象とする後発品が先発品にない副作用を予防する添加物を含む場合に処理対象とする後発品が他の後発品より優れていると判断する。
【００７５】
評価部５９は、医薬品の薬品レコードの特性情報の項目に設定された複数種類の項目のうち予め定められた少なくとも１つについて、当該種類の項目に設定された特性値を、予め定められた評価基準で評価する。評価部５９が評価の対象とする特性値は、調剤のし易さを基準に定まる。ここでは、特性情報の項目に含まれる複数種類の項目のうち割線の項目、硬度の項目、販売単位の項目それぞれに設定される特性値が、評価部５９が評価対象とする特性値に設定されている場合を例に説明する。評価部５９は、後発品の商品名と、評価対象とした特性値の項目の種類と、評価結果との組をポイント付与部６５および表示制御部６３に出力する。
【００７６】
割線の項目に設定される特性値は、割線の有無である。割線がある場合、医薬品を複数に分割する作業が容易となる。このため、割線の項目に設定される特性値に対する評価基準は、割線があることとすることができる。評価部５９は、評価対象とする後発品が割線を有する場合に処理対象とする後発品が他の後発品より優れていると判断する。
【００７７】
硬度の項目に設定される特性値は、硬度が設定される。分包機で自動分包する場合に硬度が低いと欠ける場合がある。このため、硬度の項目に設定される特性値に対する評価基準は、硬度が所定の値以上とすることができる。評価部５９は、評価対象とする後発品の硬度が所定の値以上の場合に処理対象とする後発品が他の後発品より優れていると判断する。
【００７８】
販売単位の項目に設定される特性値は、販売単位である。薬局で医薬品の在庫は少ない方が好ましく、包装は調剤作業がしやすい方が好ましい。このため、販売単位の項目に設定される特性値に対する評価基準は、販売単位が所定値以下、またはバラ包装を有するとすることができる。評価部５９は、評価対象とする後発品の販売単位が所定の値以下、またバラ包装がある場合に処理対象とする後発品が他の後発品より優れていると判断する。
【００７９】
同等性評価部６１は、医薬品の薬品レコードの特性情報の項目に設定された複数種類の項目のうち生物学的同等性試験結果の項目に設定された特性値を用いて、後発品に対して先発品との生物学的同等性のレベルを評価する。なお、全て後発品はガイドラインに準拠し先発品と同等であることは確認されている。生物学的同等性試験結果の項目は、ＡＵＣ評価結果の項目、Ｃｍａｘ評価結果の項目とを含む。同等性評価部６１は、ＡＵＣ評価結果の項目に設定された先発品および後発品それぞれの特性値およびＣｍａｘ評価結果の項目に設定された先発品および後発品それぞれの特性値に基づいて、後発品における先発品との生物学的な同等性のレベルを示すレベル値を算出する。ここでは、Ａ１を後発品のＡＵＣとし、Ａ２を先発品のＡＵＣとし、Ｂ１を後発品のＣｍａｘとし、Ｂ２を先発品のＣｍａｘとした場合に、レベル値を次式（１）に従って算出する。レベル値は、０に近いほど後発品が先発品との同等性が高いことを示す。
レベル値＝（１−Ａ１／Ａ２）２  ＋（１−Ｂ１／Ｂ２）２  …（１）
同等性評価部６１は、１以上の後発品それぞれのレベル値の平均を算出し、処理対象とする後発品のレベル値が平均以上の場合に処理対象とする後発品が他の後発品より同等性が高いと判断する。同等性評価部６１は、１以上の後発品それぞれについて、商品名と判断結果との組を、ポイント付与部６５および表示制御部６３に出力する。
【００８０】
図５は、同等性評価方法の一例を説明するための図である。ここでは、一般名称「グリクラ○○」の医薬品について、説明する。一般名称「グリクラ○○」の先発品の商品名は「グリミ△△」である。また、一般名称「グリクラ○○」の後発品は３つあり、それぞれ商品名「グリクラ△△」、「グリクラ○△」および「グリクラ◇△」である。図５を参照して、後発品「グリクラ△△」の生物学的同等試験において、後発品のＡＵＣが４１７３．５、先発品のＡＵＣが４０１５．３、後発品のＣｍａｘが６５９．０、先発品のＣｍａｘが６１６であることを示す。この場合、後発品「グリクラ△△」のレベル値は、（１）式に従って、０．００６４２５１となる。同様に、後発品「グリクラ○△」の生物学的同等試験において、後発品のＡＵＣが５０１８．８、先発品のＡＵＣが４７４５．３、後発品のＣｍａｘが７７６．６、先発品のＣｍａｘが７１８．９であることを示す。この場合、後発品「グリクラ○△」のレベル値は、（１）式に従って、０．００９７６３８となる。同様に、後発品「グリクラ◇△」の生物学的同等試験において、後発品のＡＵＣが５．４、先発品のＡＵＣが５．３、後発品のＣｍａｘが０．９、先発品のＣｍａｘが０．８６１であることを示す。この場合、後発品「グリクラ◇△」のレベル値は、（１）式に従って、０．０００３７２２となる。
【００８１】
レベル値の平均は、０．００８２８０５である。このため、商品名「グリクラ△△」および「グリクラ◇△」それぞれのレベル値が平均より高いので、商品名「グリクラ△△」および「グリクラ◇△」は、商品名「グリクラ○△」よりも先発品に対する同等性が高いと判断することができる。
【００８２】
なお、生物学的同等性のレベル値を、次式（２）で算出するようにしてもよい。この場合、レベル値は、１００に近いほど後発品が先発品に近いことを示す。
レベル値＝（Ａ１／Ａ２×１００＋Ｂ１／Ｂ２×１００）／２  …（２）
さらに、生物学的同等性のレベル値を、次式（３）で算出するようにしてもよい。この場合、レベル値は、０に近いほど後発品が先発品に近いことを示す。
レベル値＝ｌｏｇ（Ａ１／Ａ２）＋ｌｏｇ（Ｂ１／Ｂ２）  …（３）
図４に戻って、ポイント付与部６５は、比較部５７から１以上の後発品それぞれの商品名と、比較対象とされた特性値の項目の種類と比較結果との組が入力される。比較結果は、他の後発品または先発品よりも優れているか否かを示す。ポイント付与部６５は、全ての後発品それぞれに対して、比較結果が他の後発品または先発品よりも優れている項目の数だけ比較ポイントを付与する。ポイント付与部６５は、すべての後発品それぞれの商品名と比較ポイントとの組を表示制御部６３に出力する。
【００８３】
また、ポイント付与部６５は、評価部５９から１以上の後発品それぞれの商品名と、評価対象とされた特性値の項目の種類と、評価結果との組が入力される。評価結果は、評価対象となる特性値が評価基準を満たしているか否かを示す。ポイント付与部６５は、すべての後発品それぞれに対して、評価結果が評価基準を満たしている項目の数だけ評価ポイントを付与する。ポイント付与部６５は、すべての後発品それぞれの商品名と評価ポイントとの組を表示制御部６３に出力する。
【００８４】
ポイント付与部６５は、同等性評価部６１から１以上の後発品それぞれの商品名と判断結果との組が入力される。判断結果は、後発品における先発品との生物学的な同等性が他の後発品に比較して高いか否かを示す。ポイント付与部６５は、判断結果が同等性が高いことを示す後発品に対して同等性ポイントを付与し、判断結果が同等性が高いことを示さない後発品に対して同等性ポイントを付与しない。ポイント付与部６５は、すべての後発品それぞれの商品名と同等性ポイントとの組を表示制御部６３に出力する。
【００８５】
表示制御部６３は、抽出部５５から一般名称が同一の複数の医薬品それぞれの商品名が入力される。表示制御部６３は、ＨＤＤ１０４に記憶された薬品データベースから抽出部５５から入力される複数の商品名それぞれが販売名の項目に設定された複数の薬品レコードを抽出する。表示制御部６３は、抽出された薬品レコードを並べて表示する一覧表示画面を生成する。表示制御部６３は、例えば、ＨＴＭＬ（ＨｙｐｅｒＴｅｘｔ  Ｍａｒｋｕｐ  Ｌａｎｇｕａｇｅ）等の記述言語で一覧表示画面を生成する。表示制御部６３は、生成された一覧表示画面を、通信部１０５を制御して、ＰＣ２００に送信する。一覧表示画面は、一般名称が同一の複数の医薬品の商品名と、複数種類の項目の特性値を並べて表示するので、一覧表示画面を見るユーザーは、複数の医薬品の特性値を比較することができる。
【００８６】
表示制御部６３は、ポイント付与部６５から一般名称が同一の複数の医薬品のうち１以上の後発品それぞれについて、商品名と比較ポイントとの組と、商品名と同等性ポイントとの組と、が入力される。表示制御部６３は、一般名称が同一の複数の医薬品のうち１以上の後発品の薬品レコードそれぞれに、比較ポイントと同等性ポイントとの合計を総合ポイントとして付加した一覧表示画面を生成する。一覧表示画面は、総合ポイントを含むので、一覧表表示画面を見るユーザーは、総合ポイントから、１以上の後発品を、他の後発品または先発品よりも特性値が優れている医薬品、または、先発品との同等性が高い医薬品を知ることができる。なお、薬品レコードを、総合ポイントが大きいものから順に並べて表示する一覧表示画面を生成するようにしてもよい。
【００８７】
さらに、表示制御部６３は、ポイント付与部６５から一般名称が同一の複数の医薬品それぞれについて、商品名と評価ポイントとの組が入力される。表示制御部６３は、比較ポイントと同等性ポイントの合計に加えて、評価ポイントを付加して表示する一覧表示画面を生成する。一覧表表示画面を見るユーザーは、評価ポイントから、１以上の医薬品のうちで、調剤または仕入れに有利な医薬品を知ることができる。
【００８８】
なお、表示制御部６３は、一般名称が同一の複数の医薬品のうち１以上の後発品の薬品レコードそれぞれに、比較ポイントと同等性ポイントを別々に表示する一覧表示画面を生成するようにしてもよい。これにより、一覧表表示画面を見るユーザーは、１以上の後発品を、比較ポイントから他の後発品または先発品よりも特性値が優れている医薬品を特定することができ、同等性ポイントから先発品との同等性が高い医薬品を特定することできる。
【００８９】
表示制御部６３は、比較部５７から１以上の後発品それぞれの商品名と、比較対象とされた特性値の項目の種類と比較結果との組が入力される。比較結果は、他の後発品または先発品よりも優れているか否かを示す。表示制御部６３は、比較結果が他の後発品または先発品よりも優れている商品名と特性値の項目を特定する。表示制御部６３は、一覧表示画面中に配置された薬品レコードのうち、比較結果が他の後発品または先発品よりも優れている商品名の特性値の項目を他の特性値の項目と異なる表示態様で表示する。例えば、特性値を強調表示する。より具体的には、特性値を他の特性値のフォントを異ならせる、または、他の特性値よりも太線で表示する。また、特性値の背景を、他の部分と異なる色に変更する。これにより、一覧表示画面を見るユーザーは、他の後発品または先発品よりも特性値が優れている医薬品の商品名と特性値の種類とを知ることができる。また、同じ種類の特性値を複数の後発品間で比較する際に、他の後発品または先発品よりも特性値が優れている医薬品の商品名を容易に知ることができる。
【００９０】
表示制御部６３は、評価部５９から複数の医薬品それぞれの商品名と、評価対象とされた特性値の項目の種類と評価結果との組が入力される。評価結果は、評価対象となる特性値が評価基準を満たしているか否かを示す。表示制御部６３は、評価結果が評価基準を満たしている商品名と特性値の項目を特定する。表示制御部６３は、一覧表示画面中に配置された薬品レコードのうち、評価結果が評価基準を満たしている商品名の特性値の項目を他の特性値の項目と異なる表示態様で表示する。例えば、特性値を強調表示する。より具体的には、特性値を他の特性値のフォントを異ならせる、または、他の特性値よりも太線で表示する。また、特性値の背景を、他の部分と異なる色に変更する。これにより、一覧表示画面を見るユーザーは、評価基準を満たしている医薬品の商品名と特性値の種類とを知ることができる。また、同じ種類の特性値を複数の医薬品間で比較する際に、評価基準を満たしている医薬品の商品名を容易に知ることができる。
【００９１】
図６は、一覧表示画面の一例を示す第１の図である。ここでは、一般名称「グリクラ○○」が入力された場合に生成される一覧表示画面について説明する。一般名称「グリクラ○○」は、商品名「グリミ△△」の先発品と、商品名「グリクラ△△」、「グリクラ○△」および「グリクラ◇△」の３つの後発品とを含む。図６を参照して、一覧表示画面は、一般名称「グリクラ○○」の４つの医薬品それぞれについて、基本情報と、特定情報と、ポイントと、を表示する。基本情報として表示される値は、薬品レコードに含まれる複数の項目のうち販売名の項目と、製造元の項目と、販売元の項目とにそれぞれ設定される値である。特性情報は、比較項目と、評価項目と、を含む。比較項目として表示される特性値は、薬品レコードに含まれる複数の項目のうち規格の項目と、剤形の項目と、価格の項目と、印字の項目と、大きさの項目と、色の項目と、にそれぞれ設定される特定値である。評価項目として表示される特定値は、割線の項目と、保存温度の項目とにそれぞれ設定される特定値である。ポイントは、総合ポイントと、評価ポイントと、を含む。
【００９２】
一覧表示画面は、最上段に、商品名「グリミ△△」の先発品に対応する薬品レコードの一部を表示し、その下段に順に商品名「グリクラ△△」、「グリクラ○△」および「グリクラ◇△」の３つの後発品それぞれに対応する薬品レコードの一部を表示する。４つの医薬品それぞれの薬品レコードで、同一の項目が同じ列に表示されるので、種類が同じ特性値を比較することができる。
【００９３】
また、一覧表示画面において、比較項目として表示される値のうち、他の後発品よりも優れていると判断される特定値のフィールドが背景の色が他のフィールドの背景の色と異なる色で表示される。図では、他のフィールドと背景の色を異なるフィールドを、ハッチングで示している。
【００９４】
比較項目において、規格の項目、剤形の項目については、商品名「グリクラ△△」、「グリクラ○△」および「グリクラ◇△」の３つの後発品ですべて同じなので、比較ポイントは付与されていない。
【００９５】
価格の項目において、商品名「グリクラ△△」、「グリクラ○△」および「グリクラ◇△」の３つの後発品ですべて同じであるが、全てが平均の価格以上なので、３つの後発品のすべてに比較ポイントが付与される。比較ポイントが付与されていることを示すために、特性値が表示されるフィールドの背景の色が他のフィールドの背景の色と異なる色で表示される。
【００９６】
印字の項目において、商品名「グリクラ△△」、「グリクラ○△」および「グリクラ◇△」の３つの後発品ですべに印字が有ることが示される。このため、比較ポイントは付与されていない。
【００９７】
大きさの項目においては、商品名「グリクラ△△」および「グリクラ○△」の後発品はサイズが同じで、商品名「グリクラ◇△」の後発品は、他の後発品よりもサイズが小さい。このため、比較ポイントが付与されていることを示すために、商品名「グリクラ◇△」の後発品の大きさの項目の特性値が表示されるフィールドの背景の色が他のフィールドの背景の色と異なる色で表示される。
【００９８】
色の項目においては、商品名「グリクラ△△」および「グリクラ○△」の後発品の色は、先発品の色と異なるため比較ポイントは付与されない、一方、商品名「グリクラ◇△」の後発品の色は、先発品の色と同じなので、比較ポイントが付与される。比較ポイントが付与されていることを示すために、商品名「グリクラ◇△」の後発品の色の項目の特性値が表示されるフィールドの背景の色が他のフィールドの背景の色と異なる色で表示される。
【００９９】
割線の項目においては、商品名「グリクラ△△」および「グリクラ○△」の後発品の割線があるので、評価ポイントが付与される。評価ポイントが付与されていることを示すために、商品名「グリクラ△△」および「グリクラ○△」の後発品それぞれの割線の項目の特性値が表示されるフィールドの背景の色が他のフィールドの背景の色と異なる色で表示される。商品名「グリクラ◇△」の後発品は割線がないので、評価ポイントが付与されない。
【０１００】
保存温度の項目において、商品名「グリクラ△△」、「グリクラ○△」および「グリクラ◇△」の３つの後発品ですべてが常温であることが示される。このため、評価ポイントは付与されていない。
【０１０１】
商品名「グリクラ△△」の後発品の総合ポイントとして、価格の項目に対して付与される比較ポイント「１」と、上述した同等性ポイント「１」との合計である「２」が表示される。商品名「グリクラ○△」の後発品の総合ポイントとして、価格の項目に対して付与される比較ポイント「１」と、上述した同等性ポイント「０」との合計である「１」が表示される。商品名「グリクラ◇△」の後発品の総合ポイントとして、価格の項目、大きさの項目、および色の項目それぞれに対して付与される比較ポイントの合計「３」と、上述した同等性ポイント「１」との合計である「４」が表示される。
【０１０２】
商品名「グリクラ△△」の後発品の評価ポイントとして、割線の項目に対して付与される評価ポイント「１」が表示される。商品名「グリクラ○△」の後発品の評価ポイントとして、割線の項目に対して付与される評価ポイント「１」が表示される。商品名「グリクラ◇△」の後発品の評価ポイントとして「０」が表示される。
【０１０３】
図７は、一覧表示画面の一例を示す第２の図である。図６に示した一覧表示画面と異なる点は、総合ポイントを、比較ポイントと同等性ポイントに分けて表示する点である。比較ポイントと同等性ポイントとを分けて表示するので、比較ポイントのみ、または同等性ポイントのみで、３つの後発品を比較することができる。
【０１０４】
図８は、調剤支援処理の流れの一例を示すフローチャートである。調剤支援処理は、調剤支援装置１００が備えるＣＰＵ１０１が、ＲＯＭ１０２、ＨＤＤ１０４または、ＣＤ−ＲＯＭ１０９に記憶された調剤支援プログラムを実行することにより、ＣＰＵ１０１により実行される処理である。図８を参照して、ＣＰＵ１０１は、医薬品の一般名称を受け付けたか否かを判断する(ステップＳ０１)。一般名称を受け付けるまで待機状態となり、一般名称を受け付けたならば処理をステップＳ０２に進める。例えば、調剤支援装置１００は、通信部１０５がＰＣ２００からのログイン要求を受け付ける場合に、ログイン要求に含まれるユーザーＩＤとパスワードに基づいて、ＰＣ２００を操作するユーザーを認証すれば、ＰＣ２００に、一般名称を入力可能な初期画面を送信する。この場合におけるＰＣ２００は、例えば、薬局に設置され、薬剤師などのユーザーにより操作される。ＣＰＵ１０１は、初期画面をＰＣ２００に送信後に、通信部１０５がＰＣ２００から一般名称を受信すると、その受信された一般名称を受け付ける。
【０１０５】
ステップＳ０２においては、ＨＤＤ１０４に記憶された薬品データベースを検索して、一般名称が付された医薬品の薬品レコードを抽出する。ＨＤＤ１０４に記憶された一般名称テーブルを検索して、一般名称が関連付けられた商品名のすべてを抽出する。１つの一般名称に複数の商品名が関連付けられている場合がある。先発品に対して、後発品が存在する場合である。そして、ＨＤＤ１０４に記憶された薬品データベースを検索して、一般名称が同じ１以上の商品名を含む１以上の薬品レコードを抽出する。
【０１０６】
次のステップＳ０３においては、先発品を特定する。ステップＳ０２において抽出された１以上の薬品レコードのうち先後発の項目に先発品を示す値が設定された薬品レコードを、先発品の薬品レコードに特定する。次のステップＳ０４においては、後発品を特定する。ステップＳ０２において抽出された１以上の薬品レコードのうち先後発の項目に後発品を示す値が設定された薬品レコードを、後発品の薬品レコードに特定する。次のステップＳ０５においては、ステップＳ０４において特定された後発品のうちの１つを処理対象に選択し、処理をステップＳ０６に進める。
【０１０７】
ステップＳ０６においては、比較処理を実行し、処理をステップＳ０７に進める。比較処理の詳細は後述するが、後発品の特性値を、他の後発品または先発品と比較する処理である。ステップＳ０７においては、評価処理を実行し、処理をステップＳ０８に進める。評価処理の詳細は後述するが、後発品の特性値を予め定められた評価基準で評価する処理である。
【０１０８】
ステップＳ０８においては、同等性のレベルを示すレベル値を算出し、処理をステップＳ０９に進める。具体的には、ＡＵＣ評価結果の項目に設定された先発品および後発品それぞれの特性値およびＣｍａｘ評価結果の項目に設定された先発品および後発品それぞれの特性値を用いて、上記（１）式を用いて、後発品における先発品との生物学的な同等性のレベルを示すレベル値を算出する。ステップＳ０９においては、ステップＳ０５において処理対象に選択されていない後発品が存在するか否かを判断する。未処理の後発品が存在すれば処理をステップＳ０５に戻すが、そうでなければ処理をステップＳ１０に進める。
【０１０９】
ステップＳ１０においては、ステップＳ０４と同様に、処理対象となる後発品を１つ選択し、処理をステップＳ１１に進める。処理がステップＳ１１に進む前の段階で、複数の後発品それぞれの同等性のレベル値が算出されている。ステップＳ１１においては、処理対象に選択された後発品に対して算出された同等性のレベル値が、複数の後発品それぞれの同等性のレベル値の平均以上か否かを判断する。後発品に対して算出された同等性のレベル値が平均以上ならば処理をステップＳ１２に進めるが、そうでなければ処理をステップＳ１３に進める。ステップＳ１２においては、処理対象に選択されている後発品に同等性ポイントを付与し、処理をステップＳ１３に進める。
【０１１０】
ステップＳ１３においては、総合ポイントを算出し、処理をステップＳ１４に進める。ステップＳ０６において実行される比較処理で付与される比較ポイントとステップＳ１２において付与された同等性ポイントとの合計を総合ポイントとして算出する。ステップＳ１４においては、ステップＳ１０において処理対象に選択されていない後発品が存在するか否かを判断する。未処理の後発品が存在すれば処理をステップＳ１０に戻すが、そうでなければ処理をステップＳ１５に進める。
【０１１１】
ステップＳ１５においては、一覧表示画面生成処理を実行し、処理をステップＳ１６に進める。一覧表示画面生成処理の詳細は後述するが、一覧表示画面を生成する処理である。ステップＳ１６においては、ステップＳ１５において生成された一覧表示画面を送信し、処理を終了する。送信先は、ステップＳ０１において受信された一般名称を送信してきたＰＣ２００である。具体的には、通信部１０５を制御して、一覧表示画面をＰＣ２００に送信する。
【０１１２】
図９は、比較処理の流れの一例を示すフローチャートである。比較処理は、調剤支援処理のステップＳ０６で実行される処理である。調剤支援処理において、比較処理が実行される前の段階で、１以上の後発品の薬品レコードが抽出されており、かつ、処理対象となる後発品が特定されている。図９を参照して、ＣＰＵ１０１は、比較用の特定値を選択する（ステップＳ２１）。薬品レコードに含まれる複数種類の特定値の項目のうちから、比較用の特定値の種類が予め定められている。例えば、比較用の特定値の種類として、特性情報の項目に含まれる複数種類の項目のうち規格の項目、剤形の項目、用法用量の項目、価格の項目、印字の項目、大きさの項目、風味の項目、安息角の項目、粘着力の項目、および保存温度の項目とすることができる。
【０１１３】
次のステップＳ２２においては、ステップＳ２１において選択された特定値の種類の比較対象が後発品と先発品とのいずれであるかを判断する。比較対象が後発品ならば処理をステップＳ２３に進め、比較対象が先発品ならば処理をステップＳ２６に進める。
【０１１４】
ステップＳ２３においては、ステップＳ２１において選択された特定値を他の後発品の対応する特定値と比較する。比較の方法は、特性値の種類によって、予め比較基準が定められており、その比較基準に従って比較する。比較基準は、例えば、抽出されている薬品レコードで特定される１以上の後発品すべての特性値の平均を比較基準値に設定し、ステップＳ２１において選択された特定値が比較基準値以上であることにすることができる。
【０１１５】
ステップＳ２４においては、比較結果が他の後発品よりも有利か否かを判断する。ステップＳ２１において選択された特定値が比較基準値以上である場合に有利と判断する。比較結果が他の後発品よりも有利ならば処理をステップＳ２５に進めるが、そうでなければステップＳ２５をスキップして処理をステップＳ２９に進める。ステップＳ２５においては、ステップＳ２１において処理対象に選択された特定値に比較ポイントを付与し、処理をステップＳ２９に進める。
【０１１６】
ステップＳ２６においては、ステップＳ２１において選択された特定値を先発発品の対応する特定値と比較する。比較の方法は、特性値の種類によって、予め比較基準が定められており、その比較基準に従って比較する。比較基準は、例えば、先発品に存在しない特性値を有する場合に、処理対象とする後発品が先発品より優れているとすることができる。また、比較基準は、先発品と同じ特性値を有する場合に、処理対象とする後発品が先発品より優れているとすることができる。
【０１１７】
ステップＳ２７においては、比較結果が先発品よりも有利か、あるいは、先発品と同じ否かを判断する。ステップＳ２１において選択された特定値が先発品に存在しない特性値である場合に先発品よりも有利と判断する。処理対象とする後発品が先発品よりも有利な場合、または、先発品と同じ特性値ならば処理をステップＳ２８に進めるが、そうでなければステップＳ２８をスキップして処理をステップＳ２９に進める。ステップＳ２８においては、ステップＳ２１において処理対象に選択された特定値に比較ポイントを付与し、処理をステップＳ２９に進める。
【０１１８】
ステップＳ２９においては、次の比較用の特性値が存在するか否かを判断する。ステップＳ２１において処理対象に選択されていない特性値が存在するならば処理をステップＳ２１に戻すが、そうでなければ処理を調剤支援処理に戻す。
【０１１９】
図１０は、評価処理の流れの一例を示すフローチャートである。評価処理は、調剤支援処理のステップＳ０７において実行される処理である。調剤支援処理において、評価処理が実行される前の段階で、１以上の後発品の薬品レコードが抽出されており、かつ、処理対象となる後発品が特定されている。図１０を参照して、ＣＰＵ１０１は、評価用の特定値を選択する（ステップＳ３１）。薬品レコードを含まれる複数種類の特定値の項目のうちから、評価用の特定値の種類が予め定められている。例えば、評価用の特定値の種類として、特性情報の項目に含まれる複数種類の項目のうち割線の項目、硬度の項目、販売単位の項目とすることができる。
【０１２０】
ステップＳ３２においては、ステップＳ３１において選択された特定値が、その特定値に対して予め定められた評価基準を満たすか否かを判断する。予め定められた評価基準で評価する。例えば、割線の項目に設定される特性値に対する評価基準は、割線があることとすることができる。硬度の項目に設定される特性値に対する評価基準は、硬度が所定の値以上とすることができる。また、販売単位の項目に設定される特性値に対する評価基準は、販売単位が所定値以下、またバラ包装を有するとすることができる。特定値が評価基準を満たすならば処理をステップＳ３３に進めるが、そうでなければステップＳ３３をスキップして処理をステップＳ３４に進める。
【０１２１】
ステップＳ３３においては、ステップＳ３１において処理対象に選択された特定値に評価ポイントを付与し、処理をステップＳ３４に進める。ステップＳ３４においては、次の評価用の特性値が存在するか否かを判断する。ステップＳ３１において処理対象に選択されていない特性値が存在するならば処理をステップＳ３１に戻すが、そうでなければ処理を調剤支援処理に戻す。
【０１２２】
図１１は、一覧表示画面生成処理の流れの一例を示すフローチャートである。一覧表示画面生成処理は、調剤支援処理のステップＳ１５において実行される処理である。調剤支援処理において、一覧表示画面生成処理が実行される前の段階で、一般名称が同じ複数の医薬品それぞれの薬品レコードが抽出されている。図１１を参照して、ＣＰＵ１０１は、表示項目を配置し（ステップＳ４１）、処理をステップＳ４２に進める。一覧表示画面において予め定められた位置に、表示項目を配置する。表示項目は、薬品レコードで定められる複数の項目のうちから予め定められた複数の項目と、総合ポイントの項目および評価ポイントの項目とを含む。ステップＳ４２においては、先発品の薬品レコードの複数の項目の値のうち表示項目に対応する項目の値を配置する。
【０１２３】
次のステップＳ４３においては、総合ポイントが最も高い後発品を選択し、処理をステップＳ４４に進める。ステップＳ４４においては、選択された後発品の薬品レコードの複数の項目の値のうち表示項目に対応する項目の値を配置する。そして、比較ポイントが付与された特性値が存在するか否かを判断する（ステップＳ４５）。比較ポイントが付与された特性値が存在するならば処理をステップＳ４６に進めるが、そうでなければ処理をステップＳ４７に進める。ステップＳ４６においては、比較ポイントが付与された特性値を強調表示するように設定し処理をステップＳ４７に進める。比較ポイントが付与された特性値が複数存在する場合には、比較ポイントが付与された複数の特性値のすべてを強調表示するように設定する。
【０１２４】
ステップＳ４７においては、評価ポイントが付与された特性値が存在するか否かを判断する。評価ポイントが付与された特性値が存在するならば処理をステップＳ４８に進めるが、そうでなければ処理をステップＳ４９に進める。ステップＳ４８においては、評価ポイントが付与された特性値を強調表示するように設定し処理をステップＳ４９に進める。評価ポイントが付与された特性値が複数存在する場合には、評価ポイントが付与された複数の特性値の全てを強調表示するように設定する。
【０１２５】
ステップＳ４９においては、処理対象に選択されている後発品に対して算出された総合ポイントを、一覧表示画面に配置し、処理をステップＳ５０に進める。表示項目中の総合ポイントの項目と、ステップＳ４４において配置された後発品の値とに対応する位置に総合ポイントを配置する。ステップＳ５０においては、処理対象に選択されている後発品に対して算出された評価ポイントを、一覧表示画面に配置し、処理をステップＳ５１に進める。表示項目中の評価ポイントの項目と、ステップＳ４４において配置された後発品の値とに対応する位置に評価ポイントを配置する。
【０１２６】
ステップＳ５１においては、次に処理対象とするべき後発品が存在するか否かを判断する。ステップＳ４３において処理対象に選択されていない後発品が存在するならば処理をステップＳ４３に戻すが、そうでなければ処理を調剤支援処理に戻す。
【０１２７】
以上説明したように本実施の形態における調剤支援装置１００は、調剤支援装置は、ＨＤＤ１０４に薬品データベースを記憶しており、薬品データベースから抽出された一般名称が同じ複数の薬品それぞれの特性値を、複数の薬品間で比較可能な状態で表示するための一覧表示画面を生成する。このため、一般名称が同じ複数の薬品の違いを通知することができる。さらに、調剤支援装置１００は、一覧表示画面をＰＣ２００に送信するので、一覧表示画面をＰＣ２００で閲覧する薬剤師に対して、一般名称が同じ複数の薬品のうちから１つを決定するための情報を提供することができる。
【０１２８】
また、一覧表示画面は、１以上の後発品を先発品と比較可能な状態で表示するので、後発品について先発品との違いを通知することができる。
【０１２９】
また、一覧表示画面は、１以上の後発品のうち比較基準を満たす後発品の特性値を、他の薬品の特性値の表示態様とは異なる表示態様で表示するので、他の薬品と異なる後発品を通知することができる。特に、１以上の後発品それぞれの特性値を他の後発品の特性値と比較するので、他の後発品より優れた後発品を通知することができる。また、１以上の後発品それぞれの特性値を先発品の特性値と比較するので、先発品より優れた後発品を通知することができる。また、複数種類の特性のうち調剤のし易さを示す種類の特性の特性値を評価するので、調剤のし易い薬品を通知することができる。さらに、先発品との生物学的同等性のレベルを評価し、評価結果を表示するので、１以上の後発品ごとに先発品との同等性を通知することができる。
【０１３０】
さらに、一覧表示画面に比較ポイントを表示するので、１以上の後発品を定量的な値による比較を可能とすることができる。また、一覧表示画面に同等性ポイントを表示するので、１以上の後発品の先発品との同等性について定量的な値による比較が可能となる。また、一覧表示画面に評価ポイントを表示するので、調剤のし易さが定量的な値による比較が可能となる。
【０１３１】
なお、上述した実施の形態においては、調剤支援システムについて説明したが、調剤支援装置１００単独でもよい。また、図８〜図１１に示した調剤支援処理を調剤支援装置１００に実行させる調剤支援方法として、さらに、その調剤支援方法で定まる処理をコンピューターに実行させる調剤支援プログラムとして捉えることができるのは言うまでもない。
【０１３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３３】
１  調剤支援システム、５  インターネット、１００  調剤支援装置、２００，２００Ａ，２００Ｂ  ＰＣ、１０１  ＣＰＵ、１０２  ＲＯＭ、１０３  ＲＡＭ、１０４  ＨＤＤ、１０５  通信部、１０６  表示部、１０７  操作部、１０８  外部記憶装置、１０９  ＣＤ−ＲＯＭ、５１  薬品データ生成部、５３  一般名称受付部、５５  抽出部、５７  比較部、５９  評価部、６１  同等性評価部、６３  表示制御部、６５  ポイント付与部。
【図１】
2018005788.tif 000003
【図２】
2018005788.tif 000004
【図３】
2018005788.tif 000005
【図４】
2018005788.tif 000006
【図５】
2018005788.tif 000007
【図６】
2018005788.tif 000008
【図７】
2018005788.tif 000009
【図８】
2018005788.tif 000010
【図９】
2018005788.tif 000011
【図１０】
2018005788.tif 000012
【図１１】
2018005788.tif 000013